(57)【要約】【課題】本発明は自転車のハンドルカバーを開示した。【解決手段】防雨防風カバーと自転車を含み、ファスナーを開けてハンドルカバーを広げ、ハンドルカバーをハンドルに被せ、左右両側の引き締めひもを互いに結び、そしてファスナーを閉め、ゴムカバーをヘッドチューブに当て、雨よけ外殻の突き出た部分を泥よけ板に置き、本発明を取り付ける方式が簡単であり、効果的に風雨を遮ることができ、且つ保温でき、脚部もよく保護でき、雨よけ板が収納されやすく、脚部カバーと一緒に使用すると雨の日にズボンのすそが濡れることを防止できる。【選択図】図１
2020175872.tif 000002
【特許請求の範囲】
【請求項１】
防雨防風カバーと自転車を含み、前記自転車はハンドルと、泥よけ板と、ヘッドチューブと、フレームとを含み、前記防雨防風カバーはハンドルカバーを含み、前記ハンドルカバーを前記ハンドルに被せることができ、前記ハンドルカバーの底部端面には中カバーが設置され、前記中カバーの底部端面にはペダルへ吹く雨水を遮る雨よけ板部品が設置され、前記雨よけ板部品は前記中カバーの右側端面に位置している連結ロッドを含み、前記連結ロッドの右側端面には縦ロッド外殻が設置され、前記縦ロッド外殻の中にはゴムカバーが設置され、前記ゴムカバーが前記ヘッドチューブと接触し、前記ゴムカバーと前記ヘッドチューブとの間の摩擦力により前記連結ロッドの位置を安定させ、前記中カバーの底部端面が雨よけ外殻が連結され、前記雨よけ外殻の中間の突き出た部分が前記泥よけ板の上端面と結合されることができ、前記ハンドルカバーの底部端面には脚部の風と雨水を阻む前後対称の脚部カバー部品が設置され、前記ハンドルカバーの中及び前記フレームの間には前記ハンドルのところの温度を維持する保温部品が設置されることを特徴とする自転車のハンドルカバー。
【請求項２】
前記防雨防風カバーはまた前記ハンドルカバーの頂部端面に位置している上カバーを含み、前記上カバーの右側端面にはレーンコートバッグが設置され、前記レーンコートバッグの中にレーンコートを置くことができ、前記上カバーの左側端面には第二防水布が設置され、前記第二防水布の右側端面には第一弾力ひもが設置され、前記ハンドルカバーの中間には二つの前後対称の締めくくりカバーが設置され、前記締めくくりカバーの外側には引き締めひもが設置され、前記ハンドルカバーの右側端面にはファスナーが設置され、前記ハンドルカバーの外側端面には第一防水布が設置され、前記上カバーの左側端面には第二防水布が設置され、前記中カバーの外側端面には第三防水布が設置され、前記ファスナーを開けて前記ハンドルカバーを広げ、前記ハンドルカバーを前記ハンドルに被せ、左右両側の前記引き締めひもを互いに結び、そして前記ファスナーを閉め、前記第一弾力ひもを開けて前記第一弾力ひもを首にかけ、前記第二防水布を体の前に置くことを特徴とする請求項１に記載の自転車のハンドルカバー。
【請求項３】
前記雨よけ板部品はまた前記雨よけ外殻の中に位置している前後対称の弾力溝を含み、前記雨よけ外殻の中には前後対称の二つのスライドロッドがスライドできるように装着され、前記スライドロッドの外側には回転ヘッドが設置され、前記回転ヘッドの底部端面には雨よけ板が設置され、前記スライドロッドには三つの方形ブロックが設置され、前記方形ブロックが前記回転ヘッドの中に挿入されることができるように連結され、前記雨よけ外殻の中には六つの方形溝が設置され、前記方形ブロックが前記方形溝とスライドできるように結合され、前記スライドロッドが前記弾力溝の中に入り、前後両側の前記スライドロッドのうち前記泥よけ板に近接している片側端面には推しブロックが設置され、前記推しブロックが前記弾力溝とスライドできるように結合され、前記推しブロックと前記弾力溝の内壁との間にはばねが設置され、前後両側の前記スライドロッドの端面にはそれぞれ方形ヘッドが連結され、前記方形ヘッドが前記雨よけ外殻の前後両側端面にスライドできるように装着され、前記ゴムカバーを前記ヘッドチューブに当て、前記雨よけ外殻の突き出た部分を前記泥よけ板に置き、前記方形ヘッドを握って前記スライドロッドを外へ引き動かし、前記方形ブロックが前記方形溝の中に入り、前記雨よけ板と前記回転ヘッドが反転でき、前記方形ヘッドを放し、前記ばねの作用のもとで前記推しブロックと前記スライドロッドとを推し動かして復帰させ、更に前記方形ブロックと前記方形溝とを連動させて復帰させ、前記回転ヘッドを引っかからせることを特徴とする請求項１に記載の自転車のハンドルカバー。
【請求項４】
前記脚部カバー部品は前記ハンドルカバーの底部端面に位置している前後対称の脚部カバーを含み、前記脚部カバーの右側端面には第二弾力ひもが設置され、前記脚部カバーの左側端面には第四防水布が設置され、前記脚部カバーの右側端面には保存袋が設置され、前記脚部カバーの右側端面の中にはフックが設置され、前記第二弾力ひもを引っ張ってすねにつけ、前記保存袋の中に物を置くことができ、前記フックに物をかけることができ、更に前記ペダルを踏む時に前記脚部カバーが脚部とともに揺れ動くことができることを特徴とする請求項１に記載の自転車のハンドルカバー。
【請求項５】
前記保温部品は前記ハンドルカバーの中に位置している前後左右対称の四つの発熱板を含み、前記フレームに電池ブロックが取り付けられており、前記電池ブロックの底部端面には前後対称のプラスチックブロックが設置され、前後の前記プラスチックブロックの間がボルトにより連結され、前記電池ブロックと前記発熱板との間が連結線により連結され、前記電池ブロックの頂部端面にはスイッチが設置され、前記電池ブロックを前記フレームに取り付け、前記ボルトにより両側の前記プラスチックブロックを連結して前記電池ブロックを前記フレームに固定し、前記連結線を前記ハンドルカバーと連結し、前記スイッチにより前記電池ブロックを始動し、前記連結線を通して発前記熱板に給電し、前記発熱板が発熱することを特徴とする請求項１に記載の自転車のハンドルカバー。
【発明の詳細な説明】
【技術分野】
【０００１】
本発明は自転車アクセサリー分野を取り上げて、具体的には自転車のハンドルカバーである。
【背景技術】
【０００２】
冬に電動バイクに乗る人は電動バイクの防風カバーを使用し、強風や雨などから守ることができ、冬の外出に便利を与え、しかし、自転車はこのような防風カバーが欠けており、冬に自転車に乗ると乗る人の体全体が低温と湿気のある寒い風にさらされ、とても不便である。
【先行技術文献】
【特許文献】
【０００３】
【特許文献１】中国特許出願公開第105916756号明細書
【発明の概要】
【発明が解決しようとする課題】
【０００４】
本発明は自転車のハンドルカバーを提供し、従来技術における上記欠点を解消することを目的とする。
【課題を解決するための手段】
【０００５】
本発明の実施例の自転車のハンドルカバーは、防雨防風カバーと自転車を含み、前記自転車はハンドルと、泥よけ板と、ヘッドチューブと、フレームとを含み、前記防雨防風カバーはハンドルカバーを含み、前記ハンドルカバーを前記ハンドルに被せることができ、前記ハンドルカバーの底部端面には中カバーが設置され、前記中カバーの底部端面にはペダルへ吹く雨水を遮る雨よけ板部品が設置され、前記雨よけ板部品は前記中カバーの右側端面に位置している連結ロッドを含み、前記連結ロッドの右側端面には縦ロッド外殻が設置され、前記縦ロッド外殻の中にはゴムカバーが設置され、前記ゴムカバーが前記ヘッドチューブと接触し、前記ゴムカバーと前記ヘッドチューブとの間の摩擦力により前記連結ロッドの位置を安定させ、前記中カバーの底部端面が雨よけ外殻が連結され、前記雨よけ外殻の中間の突き出た部分が前記泥よけ板の上端面と結合されることができ、前記ハンドルカバーの底部端面には脚部の風と雨水を阻む前後対称の脚部カバー部品が設置され、前記ハンドルカバーの中及び前記フレームの間には前記ハンドルのところの温度を維持する保温部品が設置される。
【０００６】
更の技術プランとしては、前記防雨防風カバーはまた前記ハンドルカバーの頂部端面に位置している上カバーを含み、前記上カバーの右側端面にはレーンコートバッグが設置され、前記レーンコートバッグの中にレーンコートを置くことができ、前記上カバーの左側端面には第二防水布が設置され、前記第二防水布の右側端面には第一弾力ひもが設置され、前記ハンドルカバーの中間には二つの前後対称の締めくくりカバーが設置され、前記締めくくりカバーの外側には引き締めひもが設置され、前記ハンドルカバーの右側端面にはファスナーが設置され、前記ハンドルカバーの外側端面には第一防水布が設置され、前記上カバーの左側端面には第二防水布が設置され、前記中カバーの外側端面には第三防水布が設置される。
【０００７】
更の技術プランとしては、前記雨よけ板部品はまた前記雨よけ外殻の中に位置している前後対称の弾力溝を含み、前記雨よけ外殻の中には前後対称の二つのスライドロッドがスライドできるように装着され、前記スライドロッドの外側には回転ヘッドが設置され、前記回転ヘッドの底部端面には雨よけ板が設置され、前記スライドロッドには三つの方形ブロックが設置され、前記方形ブロックが前記回転ヘッドの中に挿入されることができるように連結され、前記雨よけ外殻の中には六つの方形溝が設置され、前記方形ブロックが前記方形溝とスライドできるように結合され、前記スライドロッドが前記弾力溝の中に入り、前後両側の前記スライドロッドのうち前記泥よけ板に近接している片側端面には推しブロックが設置され、前記推しブロックが前記弾力溝とスライドできるように結合され、前記推しブロックと前記弾力溝の内壁との間にはばねが設置され、前後両側の前記スライドロッドの端面にはそれぞれ方形ヘッドが連結され、前記方形ヘッドが前記雨よけ外殻の前後両側端面にスライドできるように装着される。
【０００８】
更の技術プランとしては、前記脚部カバー部品は前記ハンドルカバーの底部端面に位置している前後対称の脚部カバーを含み、前記脚部カバーの右側端面には第二弾力ひもが設置され、前記脚部カバーの左側端面には第四防水布が設置され、前記脚部カバーの右側端面には保存袋が設置され、前記脚部カバーの右側端面の中にはフックが設置される。
【０００９】
更の技術プランとしては、前記保温部品は前記ハンドルカバーの中に位置している前後左右対称の四つの発熱板を含み、前記フレームに電池ブロックが取り付けられており、前記電池ブロックの底部端面には前後対称のプラスチックブロックが設置され、前後の前記プラスチックブロックの間がボルトにより連結され、前記電池ブロックと前記発熱板との間が連結線により連結され、前記電池ブロックの頂部端面にはスイッチが設置される。
【発明の効果】
【００１０】
本発明の有益効果は：本発明を取り付ける方式が簡単であり、効果的に風雨を遮ることができ、且つ保温でき、脚部もよく保護でき、雨よけ板が収納されやすく、脚部カバーと一緒に使用すると雨の日にズボンのすそが濡れることを防止し、冬の日の外出に便利を与え、またフックに物をかけることができ、保存袋が物を収納でき、普及の価値がある。
【図面の簡単な説明】
【００１１】
【図１】図１は本発明の全体構成模式図
【図２】図２は阻み板の構成模式図
【図３】図３は図１の中のＡにおける拡大模式図
【図４】図４は図１の中のＢ−Ｂ方向の断面構成模式図
【図５】図５は電池ブロックの左側面図
【発明を実施するための形態】
【００１２】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜５を参照し、本発明の実施例の自転車のハンドルカバーは、防雨防風カバー９０１と自転車１０を含み、前記自転車１０はハンドル４８と、泥よけ板１７と、ヘッドチューブ４２と、フレーム１１とを含み、前記防雨防風カバー９０１はハンドルカバー２１を含み、前記ハンドルカバー２１を前記ハンドル４８に被せることができ、前記ハンドルカバー２１の底部端面には中カバー１８が設置され、前記中カバー１８の底部端面にはペダルへ吹く雨水を遮る雨よけ板部品９０２が設置され、前記雨よけ板部品９０２は前記中カバー１８の右側端面に位置している連結ロッド４３を含み、前記連結ロッド４３の右側端面には縦ロッド外殻４４が設置され、前記縦ロッド外殻４４の中にはゴムカバー４５が設置され、前記ゴムカバー４５が前記ヘッドチューブ４２と接触し、前記ゴムカバー４５と前記ヘッドチューブ４２との間の摩擦力により前記連結ロッド４３の位置を安定させ、前記中カバー１８の底部端面が雨よけ外殻３１が連結され、前記雨よけ外殻３１の中間の突き出た部分が前記泥よけ板１７の上端面と結合されることができ、前記ハンドルカバー２１の底部端面には脚部の風と雨水を阻む前後対称の脚部カバー部品９０３が設置され、前記ハンドルカバー２１の中及び前記フレーム１１の間には前記ハンドル４８のところの温度を維持する保温部品９０４が設置される。
【００１４】
前記防雨防風カバー９０１はまた前記ハンドルカバー２１の頂部端面に位置している上カバー２４を含み、前記上カバー２４の右側端面にはレーンコートバッグ２６が設置され、前記レーンコートバッグ２６の中にレーンコートを置くことができ、前記上カバー２４の左側端面には第二防水布２５が設置され、前記第二防水布２５の右側端面には第一弾力ひも２７が設置され、前記ハンドルカバー２１の中間には二つの前後対称の締めくくりカバー５０が設置され、前記締めくくりカバー５０の外側には引き締めひも５１が設置され、前記ハンドルカバー２１の右側端面にはファスナー４７が設置され、前記ハンドルカバー２１の外側端面には第一防水布２３が設置され、前記上カバー２４の左側端面には第二防水布２５が設置され、前記中カバー１８の外側端面には第三防水布２０が設置され、ファスナー４７を開けてハンドルカバー２１を広げ、ハンドルカバー２１をハンドル４８に被せ、左右両側の引き締めひも５１を互いに結び、そしてファスナー４７を閉め、第一弾力ひも２７を開けて第一弾力ひも２７を首にかけ、第二防水布２５を体の前に置く。
【００１５】
前記雨よけ板部品９０２はまた前記雨よけ外殻３１の中に位置している前後対称の弾力溝３２を含み、前記雨よけ外殻３１の中には前後対称の二つのスライドロッド３５がスライドできるように装着され、前記スライドロッド３５の外側には回転ヘッド４０が設置され、前記回転ヘッド４０の底部端面には雨よけ板３６が設置され、前記スライドロッド３５には三つの方形ブロック３３が設置され、前記方形ブロック３３が前記回転ヘッド４０の中に挿入されることができるように連結され、前記雨よけ外殻３１の中には六つの方形溝３４が設置され、前記方形ブロック３３が前記方形溝３４とスライドできるように結合され、前記スライドロッド３５が前記弾力溝３２の中に入り、前後両側の前記スライドロッド３５のうち前記泥よけ板１７に近接している片側端面には推しブロック３７が設置され、前記推しブロック３７が前記弾力溝３２とスライドできるように結合され、前記推しブロック３７と前記弾力溝３２の内壁との間にはばね３８が設置され、前後両側の前記スライドロッド３５の端面にはそれぞれ方形ヘッド４１が連結され、前記方形ヘッド４１が前記雨よけ外殻３１の前後両側端面にスライドできるように装着され、ゴムカバー４５をヘッドチューブ４２に当て、雨よけ外殻３１の突き出た部分を泥よけ板１７に置き、方形ヘッド４１を握ってスライドロッド３５を外へ引き動かし、方形ブロック３３が方形溝３４の中に入り、雨よけ板３６と回転ヘッド４０が反転でき、方形ヘッド４１を放し、ばね３８の作用のもとで推しブロック３７とスライドロッド３５とを推し動かして復帰させ、更に方形ブロック３３と方形溝３４とを連動させて復帰させ、回転ヘッド４０を引っかからせる。
【００１６】
前記脚部カバー部品９０３は前記ハンドルカバー２１の底部端面に位置している前後対称の脚部カバー１５を含み、前記脚部カバー１５の右側端面には第二弾力ひも１４が設置され、前記脚部カバー１５の左側端面には第四防水布１６が設置され、前記脚部カバー１５の右側端面には保存袋３０が設置され、前記脚部カバー１５の右側端面の中にはフック４６が設置され、第二弾力ひも１４を引っ張ってすねにつけ、保存袋３０の中に物を置くことができ、フック４６に物をかけることができ、更にペダルを踏む時に脚部カバー１５が脚部とともに揺れ動くことができる。
【００１７】
前記保温部品９０４は前記ハンドルカバー２１の中に位置している前後左右対称の四つの発熱板２２を含み、前記フレーム１１に電池ブロック１２が取り付けられており、前記電池ブロック１２の底部端面には前後対称のプラスチックブロック５２が設置され、前後の前記プラスチックブロック５２の間がボルトにより連結され、前記電池ブロック１２と前記発熱板２２との間が連結線２８により連結され、前記電池ブロック１２の頂部端面にはスイッチ１３が設置され、電池ブロック１２をフレーム１１に取り付け、ボルトにより両側のプラスチックブロック５２を連結して電池ブロック１２をフレーム１１に固定し、連結線２８をハンドルカバー２１と連結し、スイッチ１３により電池ブロック１２を始動し、連結線２８を通して発熱板２２に給電し、発熱板２２が発熱する。
【００１８】
取り付ける時、ファスナー４７を開けてハンドルカバー２１を広げ、ハンドルカバー２１をハンドル４８に被せ、左右両側の引き締めひも５１を互いに結び、ハンドルカバー２１をハンドル４８に固定することを完成し、そしてファスナー４７を閉め、ゴムカバー４５をヘッドチューブ４２に当て、雨よけ外殻３１の突き出た部分を泥よけ板１７に置き、方形ヘッド４１を握ってスライドロッド３５を外へ引き動かし、方形ブロック３３が方形溝３４の中に入り、雨よけ板３６と回転ヘッド４０が反転でき、方形ヘッド４１を放し、ばね３８の作用のもと推しブロック３７とスライドロッド３５とを推し動かして復帰させ、更に方形ブロック３３と方形溝３４とを連動させて復帰させ、回転ヘッド４０を引っかからせ、電池ブロック１２をフレーム１１に取り付け、ボルトにより両側のプラスチックブロック５２を連結して電池ブロック１２をフレーム１１に固定し、連結線２８をハンドルカバー２１と連結する。
【００１９】
使用する時、第一弾力ひも２７を開けて第一弾力ひも２７を首にかけ、第二防水布２５を体の前に置き、第二弾力ひも１４を開けてすねにつけ、保存袋３０の中に物を置くことができ、フック４６に物をかけることができ、更にペダルを踏む時に脚部カバー１５が脚部とともに揺れ動くことができる。
【００２０】
本発明の有益効果は：本発明を取り付ける方式が簡単であり、効果的に風雨を遮ることができ、且つ保温でき、脚部もよく保護でき、雨よけ板が収納されやすく、脚部カバーと一緒に使用すると雨の日にズボンのすそが濡れることを防止し、冬の日の外出に便利を与え、またフックに物をかけることができ、保存袋が物を収納でき、普及の価値がある。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175872.tif 000003
【図２】
2020175872.tif 000004
【図３】
2020175872.tif 000005
【図４】
2020175872.tif 000006
【図５】
2020175872.tif 000007
【手続補正書】
【提出日】令和1年6月23日(2019.6.23)
【手続補正１】
【補正対象書類名】特許請求の範囲
【補正対象項目名】全文
【補正方法】変更
【補正の内容】
【特許請求の範囲】
【請求項１】
自転車を含み、前記自転車はハンドルと、泥よけ板と、ヘッドチューブと、フレームと、防雨防風カバーとを含み、前記防雨防風カバーはハンドルカバーを含み、前記ハンドルカバーを前記ハンドルに被せることができ、前記ハンドルカバーの底部端面には中カバーが設置され、前記中カバーの底部端面と右側端面にはペダルへ吹く雨水を遮る雨よけ板部品が設置され、前記雨よけ板部品は前記中カバーの右側端面に位置している連結ロッドを含み、前記連結ロッドの右側端面には縦ロッド外殻が設置され、前記縦ロッド外殻の中にはゴムカバーが設置され、前記ゴムカバーが前記ヘッドチューブと接触し、前記ゴムカバーと前記ヘッドチューブとの間の摩擦力により前記連結ロッドの位置を安定させ、前記中カバーの底部端面が雨よけ外殻が連結され、前記雨よけ外殻の中間の突き出た部分が前記泥よけ板の上端面と結合されることができ、前記ハンドルカバーの底部端面には脚部の風と雨水を阻む前後対称の脚部カバー部品が設置され、前記ハンドルカバーの中と前記フレームとの間には前記ハンドルのところの温度を維持する保温部品が設置されており、
前記保温部品は前記ハンドルカバーの中に位置している前後左右対称の四つの発熱板を含み、前記フレームに電池ブロックが取り付けられており、前記電池ブロックの底部端面には前後対称のプラスチックブロックが設置され、前後の前記プラスチックブロックの間がボルトにより連結され、前記電池ブロックと前記発熱板との間が連結線により連結され、前記電池ブロックの頂部端面にはスイッチが設置され、前記電池ブロックを前記フレームに取り付け、前記ボルトにより両側の前記プラスチックブロックを連結して前記電池ブロックを前記フレームに固定し、前記連結線を前記ハンドルカバーと連結し、前記スイッチにより前記電池ブロックを始動し、前記連結線を通して発前記熱板に給電し、前記発熱板が発熱することを特徴とする防雨防風の機能を有する自転車。
【請求項２】
前記防雨防風カバーはまた前記ハンドルカバーの頂部端面に位置している上カバーを含み、前記上カバーの右側端面にはレーンコートバッグが設置され、前記レーンコートバッグの中にレーンコートを置くことができ、前記上カバーの左側端面には第二防水布が設置され、前記上カバーの右側端面には第一弾力ひもが設置され、前記ハンドルカバーの中間には二つの前後対称の締めくくりカバーが設置され、前記締めくくりカバーの外側には引き締めひもが設置され、前記ハンドルカバーの右側端面にはファスナーが設置され、前記ハンドルカバーの外側端面には第一防水布が設置され、前記上カバーの左側端面には第二防水布が設置され、前記中カバーの外側端面には第三防水布が設置され、前記ファスナーを開けて前記ハンドルカバーを広げ、前記ハンドルカバーを前記ハンドルに被せ、外側の前記引き締めひもを互いに結び、そして前記ファスナーを閉め、前記第一弾力ひもを引き伸ばして首にかけ、前記第二防水布を体の前に置くことを特徴とする請求項１に記載の防雨防風の機能を有する自転車。
【請求項３】
前記雨よけ板部品はまた前記雨よけ外殻の中に位置している前後対称のスライド溝を含み、前記雨よけ外殻の中には前後対称の二つのスライドロッドがスライドできるように装着され、前記スライドロッドの外側には回転ヘッドが設置され、前記回転ヘッドの底部端面には雨よけ板が設置され、前記スライドロッドには三つの方形ブロックが設置され、前記方形ブロックが前記回転ヘッドの中に挿入されることができるように連結され、前記雨よけ外殻の中には六つの方形溝が設置され、前記方形ブロックが前記方形溝とスライドできるように結合され、前記スライドロッドが前記スライド溝の中に入り、外側の前記スライドロッドのうち前記雨よけ外殻の中間の突起部に近接している側には推しブロックが設置され、前記推しブロックが前記スライド溝とスライドできるように結合され、前記推しブロックと前記スライド溝の内壁との間にはばねが設置され、外側の前記スライドロッドの端面にはそれぞれ方形ヘッドが連結され、前記方形ヘッドが前記雨よけ外殻の外側端面にスライドできるように装着され、前記ゴムカバーを前記ヘッドチューブに当て、前記雨よけ外殻の突き出た部分を前記泥よけ板に置き、前記方形ヘッドを握って前記スライドロッドを外へ引き動かし、前記方形ブロックが前記方形溝の中に入り、前記雨よけ板と前記回転ヘッドが反転でき、前記方形ヘッドを放し、前記ばねの作用のもとで前記推しブロックと前記スライドロッドとを推し動かして復帰させ、更に前記方形ブロックと前記方形溝とを連動させて復帰させ、前記回転ヘッドを引っかからせることを特徴とする請求項１に記載の防雨防風の機能を有する自転車。
【請求項４】
前記脚部カバー部品は前記ハンドルカバーの底部端面に位置している前後対称の脚部カバーを含み、前記脚部カバーの右側端面には第二弾力ひもが設置され、前記脚部カバーの左側端面には第四防水布が設置され、前記脚部カバーの右側端面には保存袋が設置され、前記脚部カバーの右側端面の中にはフックが設置され、前記第二弾力ひもを引っ張ってすねにつけ、前記保存袋の中に物を置くことができ、前記フックに物をかけることができ、更に前記ペダルを踏む時に前記脚部カバーが脚部とともに揺れ動くことができることを特徴とする請求項１に記載の防雨防風の機能を有する自転車。
【手続補正２】
【補正対象書類名】明細書
【補正対象項目名】全文
【補正方法】変更
【補正の内容】
【発明の詳細な説明】
【技術分野】
【０００１】
本発明は自転車アクセサリー分野を取り上げて、具体的には防雨防風の機能を有する自転車である。
【背景技術】
【０００２】
冬に電動バイクに乗る人は電動バイクの防風カバーを使用し、強風や雨などから守ることができ、冬の外出に便利を与え、しかし、自転車はこのような防風カバーが欠けており、冬に自転車に乗ると乗る人の体全体が低温と湿気のある寒い風にさらされ、とても不便である。
【先行技術文献】
【特許文献】
【０００３】
【特許文献１】中国特許出願公開第105916756号明細書
【発明の概要】
【発明が解決しようとする課題】
【０００４】
本発明は防雨防風の機能を有する自転車を提供し、従来技術における上記欠点を解消することを目的とする。
【課題を解決するための手段】
【０００５】
防雨防風の機能を有する自転車であって、自転車を含み、前記自転車はハンドルと、泥よけ板と、ヘッドチューブと、フレームと、防雨防風カバーとを含み、前記防雨防風カバーはハンドルカバーを含み、前記ハンドルカバーを前記ハンドルに被せることができ、前記ハンドルカバーの底部端面には中カバーが設置され、前記中カバーの底部端面と右側端面にはペダルへ吹く雨水を遮る雨よけ板部品が設置され、前記雨よけ板部品は前記中カバーの右側端面に位置している連結ロッドを含み、前記連結ロッドの右側端面には縦ロッド外殻が設置され、前記縦ロッド外殻の中にはゴムカバーが設置され、前記ゴムカバーが前記ヘッドチューブと接触し、前記ゴムカバーと前記ヘッドチューブとの間の摩擦力により前記連結ロッドの位置を安定させ、前記中カバーの底部端面が雨よけ外殻が連結され、前記雨よけ外殻の中間の突き出た部分が前記泥よけ板の上端面と結合されることができ、前記ハンドルカバーの底部端面には脚部の風と雨水を阻む前後対称の脚部カバー部品が設置され、前記ハンドルカバーの中と前記フレームとの間には前記ハンドルのところの温度を維持する保温部品が設置される。
【０００６】
更の技術プランとしては、前記防雨防風カバーはまた前記ハンドルカバーの頂部端面に位置している上カバーを含み、前記上カバーの右側端面にはレーンコートバッグが設置され、前記レーンコートバッグの中にレーンコートを置くことができ、前記上カバーの左側端面には第二防水布が設置され、前記上カバーの右側端面には第一弾力ひもが設置され、前記ハンドルカバーの中間には二つの前後対称の締めくくりカバーが設置され、前記締めくくりカバーの外側には引き締めひもが設置され、前記ハンドルカバーの右側端面にはファスナーが設置され、前記ハンドルカバーの外側端面には第一防水布が設置され、前記上カバーの左側端面には第二防水布が設置され、前記中カバーの外側端面には第三防水布が設置される。
【０００７】
更の技術プランとしては、前記雨よけ板部品はまた前記雨よけ外殻の中に位置している前後対称のスライド溝を含み、前記雨よけ外殻の中には前後対称の二つのスライドロッドがスライドできるように装着され、前記スライドロッドの外側には回転ヘッドが設置され、前記回転ヘッドの底部端面には雨よけ板が設置され、前記スライドロッドには三つの方形ブロックが設置され、前記方形ブロックが前記回転ヘッドの中に挿入されることができるように連結され、前記雨よけ外殻の中には六つの方形溝が設置され、前記方形ブロックが前記方形溝とスライドできるように結合され、前記スライドロッドが前記スライド溝の中に入り、外側の前記スライドロッドのうち前記雨よけ外殻の中間の突起部に近接している側には推しブロックが設置され、前記推しブロックが前記スライド溝とスライドできるように結合され、前記推しブロックと前記スライド溝の内壁との間にはばねが設置され、外側の前記スライドロッドの端面にはそれぞれ方形ヘッドが連結され、前記方形ヘッドが前記雨よけ外殻の外側端面にスライドできるように装着される。
【０００８】
更の技術プランとしては、前記脚部カバー部品は前記ハンドルカバーの底部端面に位置している前後対称の脚部カバーを含み、前記脚部カバーの右側端面には第二弾力ひもが設置され、前記脚部カバーの左側端面には第四防水布が設置され、前記脚部カバーの右側端面には保存袋が設置され、前記脚部カバーの右側端面の中にはフックが設置される。
【０００９】
更の技術プランとしては、前記保温部品は前記ハンドルカバーの中に位置している前後左右対称の四つの発熱板を含み、前記フレームに電池ブロックが取り付けられており、前記電池ブロックの底部端面には前後対称のプラスチックブロックが設置され、前後の前記プラスチックブロックの間がボルトにより連結され、前記電池ブロックと前記発熱板との間が連結線により連結され、前記電池ブロックの頂部端面にはスイッチが設置される。
【発明の効果】
【００１０】
本発明の有益効果は：本発明を取り付ける方式が簡単であり、効果的に風雨を遮ることができ、且つ保温でき、脚部もよく保護でき、雨よけ板が収納されやすく、脚部カバーと一緒に使用すると雨の日にズボンのすそが濡れることを防止し、冬の日の外出に便利を与え、またフックに物をかけることができ、保存袋が物を収納でき、普及の価値がある。
【図面の簡単な説明】
【００１１】
【図１】図１は本発明の全体構成模式図
【図２】図２は阻み板の構成模式図
【図３】図３は図１の中のＡにおける拡大模式図
【図４】図４は図１の中のＢ−Ｂ方向の断面構成模式図
【図５】図５は電池ブロックの左側面図
【発明を実施するための形態】
【００１２】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜５を参照し、防雨防風の機能を有する自転車であって、自転車１０を含み、前記自転車１０はハンドル４８と、泥よけ板１７と、ヘッドチューブ４２と、フレーム１１と、防雨防風カバー９０１とを含み、前記防雨防風カバー９０１はハンドルカバー２１を含み、前記ハンドルカバー２１を前記ハンドル４８に被せることができ、前記ハンドルカバー２１の底部端面には中カバー１８が設置され、前記中カバー１８の底部端面と右側端面にはペダルへ吹く雨水を遮る雨よけ板部品９０２が設置され、前記雨よけ板部品９０２は前記中カバー１８の右側端面に位置している連結ロッド４３を含み、前記連結ロッド４３の右側端面には縦ロッド外殻４４が設置され、前記縦ロッド外殻４４の中にはゴムカバー４５が設置され、前記ゴムカバー４５が前記ヘッドチューブ４２と接触し、前記ゴムカバー４５と前記ヘッドチューブ４２との間の摩擦力により前記連結ロッド４３の位置を安定させ、前記中カバー１８の底部端面が雨よけ外殻３１が連結され、前記雨よけ外殻３１の中間の突き出た部分が前記泥よけ板１７の上端面と結合されることができ、前記ハンドルカバー２１の底部端面には脚部の風と雨水を阻む前後対称の脚部カバー部品９０３が設置され、前記ハンドルカバー２１の中と前記フレーム１１との間には前記ハンドル４８のところの温度を維持する保温部品９０４が設置される。
【００１４】
前記防雨防風カバー９０１はまた前記ハンドルカバー２１の頂部端面に位置している上カバー２４を含み、前記上カバー２４の右側端面にはレーンコートバッグ２６が設置され、前記レーンコートバッグ２６の中にレーンコートを置くことができ、前記上カバー２４の左側端面には第二防水布２５が設置され、前記上カバー２４の右側端面には第一弾力ひも２７が設置され、前記ハンドルカバー２１の中間には二つの前後対称の締めくくりカバー５０が設置され、前記締めくくりカバー５０の外側には引き締めひも５１が設置され、前記ハンドルカバー２１の右側端面にはファスナー４７が設置され、前記ハンドルカバー２１の外側端面には第一防水布２３が設置され、前記上カバー２４の左側端面には第二防水布２５が設置され、前記中カバー１８の外側端面には第三防水布２０が設置され、ファスナー４７を開けてハンドルカバー２１を広げ、ハンドルカバー２１をハンドル４８に被せ、外側の引き締めひも５１を互いに結び、そしてファスナー４７を閉め、第一弾力ひも２７を引き伸ばして首にかけ、第二防水布２５を体の前に置く。
【００１５】
前記雨よけ板部品９０２はまた前記雨よけ外殻３１の中に位置している前後対称のスライド溝３２を含み、前記雨よけ外殻３１の中には前後対称の二つのスライドロッド３５がスライドできるように装着され、前記スライドロッド３５の外側には回転ヘッド４０が設置され、前記回転ヘッド４０の底部端面には雨よけ板３６が設置され、前記スライドロッド３５には三つの方形ブロック３３が設置され、前記方形ブロック３３が前記回転ヘッド４０の中に挿入されることができるように連結され、前記雨よけ外殻３１の中には六つの方形溝３４が設置され、前記方形ブロック３３が前記方形溝３４とスライドできるように結合され、前記スライドロッド３５が前記スライド溝３２の中に入り、外側の前記スライドロッド３５のうち前記雨よけ外殻３１の中間の突起部に近接している側には推しブロック３７が設置され、前記推しブロック３７が前記スライド溝３２とスライドできるように結合され、前記推しブロック３７と前記スライド溝３２の内壁との間にはばね３８が設置され、外側の前記スライドロッド３５の端面にはそれぞれ方形ヘッド４１が連結され、前記方形ヘッド４１が前記雨よけ外殻３１の外側端面にスライドできるように装着され、ゴムカバー４５をヘッドチューブ４２に当て、雨よけ外殻３１の突き出た部分を泥よけ板１７に置き、方形ヘッド４１を握ってスライドロッド３５を外へ引き動かし、方形ブロック３３が方形溝３４の中に入り、雨よけ板３６と回転ヘッド４０が反転でき、方形ヘッド４１を放し、ばね３８の作用のもとで推しブロック３７とスライドロッド３５とを推し動かして復帰させ、更に方形ブロック３３と方形溝３４とを連動させて復帰させ、回転ヘッド４０を引っかからせる。
【００１６】
前記脚部カバー部品９０３は前記ハンドルカバー２１の底部端面に位置している前後対称の脚部カバー１５を含み、前記脚部カバー１５の右側端面には第二弾力ひも１４が設置され、前記脚部カバー１５の左側端面には第四防水布１６が設置され、前記脚部カバー１５の右側端面には保存袋３０が設置され、前記脚部カバー１５の右側端面の中にはフック４６が設置され、第二弾力ひも１４を引っ張ってすねにつけ、保存袋３０の中に物を置くことができ、フック４６に物をかけることができ、更にペダルを踏む時に脚部カバー１５が脚部とともに揺れ動くことができる。
【００１７】
前記保温部品９０４は前記ハンドルカバー２１の中に位置している前後左右対称の四つの発熱板２２を含み、前記フレーム１１に電池ブロック１２が取り付けられており、前記電池ブロック１２の底部端面には前後対称のプラスチックブロック５２が設置され、前後の前記プラスチックブロック５２の間がボルトにより連結され、前記電池ブロック１２と前記発熱板２２との間が連結線２８により連結され、前記電池ブロック１２の頂部端面にはスイッチ１３が設置され、電池ブロック１２をフレーム１１に取り付け、ボルトにより両側のプラスチックブロック５２を連結して電池ブロック１２をフレーム１１に固定し、連結線２８をハンドルカバー２１と連結し、スイッチ１３により電池ブロック１２を始動し、連結線２８を通して発熱板２２に給電し、発熱板２２が発熱する。
【００１８】
取り付ける時、ファスナー４７を開けてハンドルカバー２１を広げ、ハンドルカバー２１をハンドル４８に被せ、外側の引き締めひも５１を互いに結び、ハンドルカバー２１をハンドル４８に固定することを完成し、そしてファスナー４７を閉め、ゴムカバー４５をヘッドチューブ４２に当て、雨よけ外殻３１の突き出た部分を泥よけ板１７に置き、方形ヘッド４１を握ってスライドロッド３５を外へ引き動かし、方形ブロック３３が方形溝３４の中に入り、雨よけ板３６と回転ヘッド４０が反転でき、方形ヘッド４１を放し、ばね３８の作用のもと推しブロック３７とスライドロッド３５とを推し動かして復帰させ、更に方形ブロック３３と方形溝３４とを連動させて復帰させ、回転ヘッド４０を引っかからせ、電池ブロック１２をフレーム１１に取り付け、ボルトにより両側のプラスチックブロック５２を連結して電池ブロック１２をフレーム１１に固定し、連結線２８をハンドルカバー２１と連結する。
【００１９】
使用する時、第一弾力ひも２７を引き伸ばして首にかけ、第二防水布２５を体の前に置き、第二弾力ひも１４を引き伸ばしてすねにつけ、保存袋３０の中に物を置くことができ、フック４６に物をかけることができ、更にペダルを踏む時に脚部カバー１５が脚部とともに揺れ動くことができる。
【００２０】
本発明の有益効果は：本発明を取り付ける方式が簡単であり、効果的に風雨を遮ることができ、且つ保温でき、脚部もよく保護でき、雨よけ板が収納されやすく、脚部カバーと一緒に使用すると雨の日にズボンのすそが濡れることを防止し、冬の日の外出に便利を与え、またフックに物をかけることができ、保存袋が物を収納でき、普及の価値がある。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。